(57)【要約】【課題】オブジェクトの視認を困難としつつ、特定の方法によってのみオブジェクトを視認し得る画像を容易に形成する。【解決手段】画素の配置と所定の色値とを各色値ごとに組み合わせた複数の分割パターンを保存するパターン保存手段１０１と、対象画像の各画素が所定のオブジェクトに係る画素か非オブジェクトに係る画素かを判断するオブジェクト判別手段１０２と、前記対象画像と前記分割パターンとを対比して、前記オブジェクトに係る画素の配置又は非オブジェクトに係る画素の配置に対応した色値を前記分割パターンから抽出する設定色抽出手段１０３と、前記抽出した各色値を、前記対象画像の対応する画素に設定する色設定手段１０４と、色値が設定された各画素にもとづいて所定の画像を形成する画像形成手段１０５と、形成された画像を所定の被出力媒体に出力する出力制御手段１０６とを備える。【選択図】図３
2011139207.tif 000002
【特許請求の範囲】
【請求項１】
画素の配置と所定の色値とを各色値ごとに組み合わせた複数の分割パターンを保存するパターン保存手段と、
対象画像の各画素が所定のオブジェクトに係る画素か非オブジェクトに係る画素かを判断するオブジェクト判別手段と、
前記対象画像と前記分割パターンとを対比して、前記オブジェクトに係る画素の配置又は非オブジェクトに係る画素の配置に対応した色値を前記分割パターンから抽出する設定色抽出手段と、
前記抽出した各色値を、前記対象画像の対応する画素に設定する色設定手段と、
色値が設定された各画素にもとづいて所定の画像を形成する画像形成手段と、
形成された画像を所定の被出力媒体に出力する出力制御手段とを備える
ことを特徴とする画像形成装置。
【請求項２】
前記画像形成手段は、
一の色値が設定された各画素にもとづく一の画像を各分割パターンに係る色値ごとにそれぞれ形成する
ことを特徴とする請求項１記載の画像形成装置。
【請求項３】
前記出力制御手段は、
前記色値ごとに形成されたそれぞれの画像を複数の被出力媒体に各々出力する請求項２記載の画像形成装置。
【請求項４】
前記複数の被出力媒体は、一定の透過性を有する被印刷媒体である
ことを特徴とする請求項３記載の画像形成装置。
【請求項５】
前記分割パターンは、画素の配置と特定の色光に対し一定の非吸収性又は吸収性を有する色値とが組み合わせられてなり、
前記色設定手段は、
前記分割パターンから抽出した前記非吸収性又は吸収性を有する色値を対象画像中の対応するオブジェクトに係る画素又は非オブジェクトに係る画素に設定するとともに、この色値が設定されない画素に当該色値の補色に相当する色値を設定し、
前記画像形成手段は、
色値が設定された各画素にもとづいて前記オブジェクト及び非オブジェクトに係る画像を形成し、
前記出力制御手段は、
形成された前記オブジェクト及び非オブジェクトに係る画像を所定の被出力媒体に出力する
ことを特徴とする請求項１記載の画像形成装置。
【請求項６】
前記分割パターンは、
一の色値と組み合わせた各画素の配置を所定領域内において分散させた
ことを特徴とする請求項１〜５のいずれか一項記載の画像形成装置。
【請求項７】
前記分割パターンは、
一の色値と組み合わせた各画素の配置と当該一の色値以外の色値と組み合わせた各画素の配置とが所定領域内において重複しない
ことを特徴とする請求項１〜６のいずれか一項記載の画像形成装置。
【請求項８】
画素の配置と所定の色値とを各色値ごとに組み合わせた複数の分割パターンを保存するステップと、
対象画像の各画素が所定のオブジェクトに係る画素か非オブジェクトに係る画素かを判断するステップと、
前記対象画像と前記分割パターンとを対比して、前記オブジェクトに係る画素の配置又は非オブジェクトに係る画素の配置に対応した色値を前記分割パターンから抽出するステップと、
前記抽出した各色値を、前記対象画像の対応する画素に設定するステップと、
色値が設定された各画素にもとづいて所定の画像を形成するステップと、
形成された画像を所定の被出力媒体に出力するステップとを有する
ことを特徴とする画像形成方法。
【発明の詳細な説明】
【技術分野】
【０００１】
本発明は、画像中に含まれる文字や図形等を隠して出力する画像形成装置及び画像形成方法に関する。
【背景技術】
【０００２】
領収書、証券、証明書などの重要な印刷物には、原本の複写を抑止するために、複写により文字や画像が浮かび上がる特殊な模様が背景に印刷されたもの（例えば、地紋印刷等）がある。
しかし、この様な地紋印刷等は、複写することにより伝達情報を認識することができるため、機密情報に対しては有効でない場合がある。
このため、特許文献１には、目視では認識できず、かつ、複写によっても再現されない隠し絵の作成方法が開示されている。
この隠し絵の作成方法によれば、印刷に用いる顔料を特別な材質を用いて生成することによって、特定の文字や図形等を単なる目視では認識し難い画像に加工して印刷させることができる。
【先行技術文献】
【特許文献】
【０００３】
【特許文献１】特開２００６−２５５９２５号公報
【発明の概要】
【発明が解決しようとする課題】
【０００４】
しかしながら、上述した特許文献１の隠し絵の作成方法にあっては、可視光域で目視による判別が不能になる同色になるように各インクの組み合わせを工夫している。
このため、インクの原材料として、蛍光発光材料、赤外線発光材料、紫外線発光材料、磁性材料など、センシング可能な機能性材料を少なくとも含む特殊な顔料が不可欠となっていた。
さらに、この隠し絵の作成方法では、作成された隠し絵を浮かび上がらせて認識するための材料や道具が必要となる。
したがって、隠し絵を生成するためのみならず、これを再現するための余分な手間やコストが生じていた。
【０００５】
本発明は、上記の事情に鑑みてなされたものであり、所定の分割パターンにもとづいてオブジェクト又は非オブジェクトに係る画素の色を変更することにより、オブジェクトの視認を困難としつつ、特定の方法によってのみオブジェクトを視認し得る画像を容易に形成する画像形成装置及び画像形成方法の提供を目的とする。
【課題を解決するための手段】
【０００６】
上記目的を達成するため本発明の画像形成装置は、画素の配置と所定の色値とを各色値ごとに組み合わせた複数の分割パターンを保存するパターン保存手段と、対象画像の各画素が所定のオブジェクトに係る画素か非オブジェクトに係る画素かを判断するオブジェクト判別手段と、前記対象画像と前記分割パターンとを対比して、前記オブジェクトに係る画素の配置又は非オブジェクトに係る画素の配置に対応した色値を前記分割パターンから抽出する設定色抽出手段と、前記抽出した各色値を、前記対象画像の対応する画素に設定する色設定手段と、色値が設定された各画素にもとづいて所定の画像を形成する画像形成手段と、形成された画像を所定の被出力媒体に出力する出力制御手段とを備える構成としてある。
【０００７】
また、本発明の画像形成方法は、画素の配置と所定の色値とを各色値ごとに組み合わせた複数の分割パターンを保存するステップと、対象画像の各画素が所定のオブジェクトに係る画素か非オブジェクトに係る画素かを判断するステップと、前記対象画像と前記分割パターンとを対比して、前記オブジェクトに係る画素の配置又は非オブジェクトに係る画素の配置に対応した色値を前記分割パターンから抽出するステップと、前記抽出した各色値を、前記対象画像の対応する画素に設定するステップと、色値が設定された各画素にもとづいて所定の画像を形成するステップと、形成された画像を所定の被出力媒体に出力するステップとを有する方法としてある。
【発明の効果】
【０００８】
本発明によれば、所定情報の視認を困難としつつ、特定の方法によってのみ所定情報を視認し得る画像を容易に形成することができる。
【図面の簡単な説明】
【０００９】
【図１】本発明の第一実施形態に係る画像形成装置の概略構成を示す説明図である。
【図２】本発明の第一実施形態に係る画像処理の概要を説明するための説明図である。
【図３】本発明の第一実施形態に係る制御部の構成を示すブロック図である。
【図４】本発明の第一実施形態に係る分割パターンを説明するための説明図である。
【図５】本発明の第一実施形態に係る対象画像の例を示した説明図である。
【図６】本発明の第一実施形態に係る設定色抽出処理を説明するための説明図である。
【図７】本発明の第一実施形態に係る色設定処理を説明するための説明図である。
【図８】本発明の第一実施形態に係る出力制御処理を説明するための説明図である。
【図９】本発明の第一実施形態に係る画像形成装置による出力結果を説明するための説明図である。
【図１０】本発明の第一実施形態に係る画像形成方法を説明するためのフローチャートである。
【図１１】本発明の第二実施形態に係る画像処理の概要を説明するための説明図である。
【図１２】本発明の第二実施形態に係る分割パターンを説明するための説明図である。
【図１３】本発明の第二実施形態に係る設定色抽出処理を説明するための説明図である。
【図１４】本発明の第二実施形態に係る色設定処理を説明するための説明図である。
【図１５】本発明の第二実施形態に係る画像形成装置による出力結果を説明するための説明図である。
【図１６】本発明の第二実施形態に係る画像形成方法を説明するためのフローチャートである。
【発明を実施するための形態】
【００１０】
以下、本発明の実施形態について、図面を参照して説明する。
【００１１】
＜第一実施形態＞
図１は、本発明の第一実施形態に係る画像形成装置の構成を示す説明図である。
この図に示すように、本実施形態に係る画像形成装置１は、複写機及びプリンタの機能を併せ持つものとする。
具体的には、画像形成装置１は、用紙収容部２、用紙収容部２の用紙を搬送する搬送機構３、原稿の画像に対応するトナー像を形成するための感光体ドラム４、用紙に転写されたトナー像を定着させるための定着ローラ５、読み取り部６などを備える。
【００１２】
複写機として使用する場合は、画像形成装置１上部に備えられた読み取り部６にセットされた原稿を読み取って、用紙に画像を複写する。原稿は、手動で読み取り部６にセットすることもでき、自動原稿搬送装置により自動的に読み取り部６へ順次送ることもできる。
また、プリンタとして使用する場合は、画像形成装置１に接続されたＰＣ（パーソナルコンピュータ）７からの印刷内容のデータを受け取り、これを用紙に印刷する。
【００１３】
なお、ＰＣ７は、制御部８を備えており、制御部８は半導体メモリやハードディスクドライブなどからなる記憶装置９を備えるとともに、ワープロソフトなどのアプリケーションソフトにより、文書を作成することが可能である。画像形成装置１をプリンタとして使用する場合は、制御部８により、画像データが生成された後、画像形成装置１の制御部１０へと送られる。画像データは、制御部１０により受け取られ、記憶装置１１に記憶される。記憶された画像データは、制御部１０により必要な処理が施される。制御部１０は、処理後の画像データにもとづく、画像形成装置１の各部を制御して画像の印刷を行う。
【００１４】
画像形成装置１の制御部１０は、半導体メモリやハードディスクドライブなどからなる記憶装置１１を備えている。複写機として使用する場合は、読み取り部６より読み込まれた原稿の画像データが記憶装置１１に記憶され、記憶された画像データは、制御部１０により必要な処理が施される。制御部１０は、処理後の画像データにもとづき、画像形成装置１の各部を制御して複写を行う。
【００１５】
特に、制御部１０は、特定の方法によって見ない限り、文字や図形などを視認することが困難な特殊な画像に変更する制御を行う。
例えば、図２（ａ）に示す文字を含む対象画像については、同図（ｂ）に示すように文字（「り」）を複数に分割し、かつ、各分割画像にそれぞれ異なる色を割り当てて（イ）〜（ニ）の画像を形成し、透過性を有するシートにそれぞれ印刷するようにする。
このため、同図（ｂ）に示すように、（イ）〜（ニ）の画像からは文字（「り」）を認識することはできない。
【００１６】
ただし、同図（ｃ）に示すように、これらの画像を重ね合わせることによって文字（「り」）を視認することができる。つまり、特定の方法によってのみ画像に隠された情報を知ることができる仕組みとなっている。
したがって、本実施形態に係る制御部１０によれば、情報の機密性を保持しつつ、特定の者に対してのみ情報を開示し得る画像を形成することができる。
以下、このような画像形成処理を制御する制御部１０について、図３を参照しながら詳細に説明する。
【００１７】
図３は、本実施形態に係る制御部の構成を示したブロック図である。
この図に示すように、制御部１０は、ソフトウェアにより実現する機能的な構成として、パターン保存手段１０１と、オブジェクト判別手段１０２と、設定色抽出手段１０３と、色設定手段１０４と、画像形成手段１０５と、出力制御手段１０６とを備える。
【００１８】
パターン保存手段１０１は、画素の配置と所定の色値とを各色値ごとに組み合わせた複数の分割パターンを予めメモリやハードディスクなどの記憶媒体に保存する。
例えば、パターン保存手段１０１は、図４に示す６×６のマトリクスからなる複数の分割パターン（Ｐ０〜Ｐ３）を保存する。
画素の配置と色値との組み合わせは、各分割パターンの（０，０）≦（Ｘ'，Ｙ'）≦（５，５）において、「色値有り」を示す所定のフラグ（例えば「１」）を分散して配置することによって行うことができる。
フラグは、例えば、一定の規則（例えば、一定のマス目間隔など）にしたがって一様に、又は、上記範囲の座標値を乱数を用いて分散させて配置することができる。
また、これらフラグは、このマトリクス内に含まれるすべての座標を網羅しつつ、かつ、分割パターン相互間で重複しないよう配置する。
【００１９】
また、図４は、緑（パターンＰ０）、藍（パターンＰ１）、赤（パターンＰ２）、黄（パターンＰ３）からなる４つの分割パターンを示したものであり、パターン保存手段１０１は、これら各分割パターンをそれぞれ保存する。
ただし、分割パターンはこのような態様に限定されるものではなく、例えば、マトリクスの格子数や色のバリエーションを問わず適用することができる。
また、パターン保存手段１０１は、これらの分割パターンを合成して一の分割パターン（合成パターン）として保存することもできる。
【００２０】
オブジェクト判別手段１０２は、対象画像の各画素が文字、図形、写真等のオブジェクトを形成する画素であるか、背景などオブジェクト以外の非オブジェクトを形成する画素であるかを判別する。
図５（ａ）は、本実施形態の画像形成装置の処理対象となる画像の例を示した説明図である。
なお、本実施形態に係る制御部１０は、対象画像全体を小マトリクスに区切り、小マトリクスごとに各種処理を実行することができる。
このため、オブジェクト判別手段１０２は、同図に示すように、画像全体（Ｘ，Ｙ）＝（ｍ，ｎ）を、（Ｘ’，Ｙ’）＝（６，６）ごとに区切り、６×６マトリクスごとにオブジェクト判別を実行することができる。
【００２１】
この結果、同図（ｂ）に示す範囲（０≦Ｘ≦５、０≦Ｙ≦５）において、オブジェクト判別手段１０２は、（Ｘ'，Ｙ'）＝（１，０）、（４，０）、（１，１）、（４，１）、（１，２）、（２，２）、（４，２）、（４，３）、（３，４）、（４，４）、（１，５）、（２，５）、（３，５）の各画素がオブジェクト画素であると判別することができる。
また、同図において、オブジェクト判別手段１０２は、（Ｘ'，Ｙ'）＝（０，０）、（２，０）、（３，０）、（５，０）、（０，１）、（２，１）、（３，１）、（５，１）、（０，２）、（３，２）、（５，２）、（０，３）、（１，３）、（２，３）、（３，３）、（５，３）、（０，４）、（１，４）、（２，４）、（５，４）、（０，５）、（４，５）、（５，５）の各画素が非オブジェクト画素であると判別することができる。
【００２２】
そして、上述の処理を繰り返し行うことにより、対象画像全体についてオブジェクト判別を行うことができる。
なお、係るオブジェクト判別処理は、上述のように小マトリクス単位で行う方法の他、画像全体から直接判別することも可能である。
【００２３】
設定色抽出手段１０３は、各分割パターンと対象画像とを対比することによって、オブジェクト画素又は非オブジェクト画素の配置に対応した色値を各分割パターンから抽出する。
図６は、オブジェクト画素の配置に対応した色値を分割パターンにもとづいて抽出する処理を説明するための説明図である。
同図（ａ）及び（ｂ）に示すように、本実施形態に係る設定色抽出手段１０３は、「り」を含む対象画像と、４つの分割パターン（Ｐ０〜Ｐ３）をそれぞれ対比することによって、「り」の文字部分を構成する各画素に対応する色値を各分割パターンから抽出する（同図（ｂ）太枠部参照）。
【００２４】
例えば、対象画像と各分割パターンとを重ね、「り」の文字の構成画素とフラグとが重複する座標を分割パターンごとに抽出する。
これにより、パターンＰ０については、（Ｘ'，Ｙ'）＝（４，２）、（３，４）、（１，５）、パターンＰ１については、（Ｘ'，Ｙ'）＝（１，１）、パターンＰ２については、（Ｘ'，Ｙ'）＝（１，０）、（４，０）、（３，５）、パターンＰ３については、（Ｘ'，Ｙ'）＝（４，１）、（１，２）、（２，２）、（４，３）、（４，４）、（２，５）がそれぞれ抽出される。
【００２５】
したがって、同図（ｃ）に示すように、設定色抽出手段１０３は、（Ｘ'，Ｙ'）＝（４，２）、（３，４）、（１，５）の各座標に対応する色値として緑、（Ｘ'，Ｙ'）＝（１，１）の座標に対応する色値として藍、（Ｘ'，Ｙ'）＝（１，０）、（４，０）、（３，５）の各座標に対応する色値として赤、（Ｘ'，Ｙ'）＝（４，１）、（１，２）、（２，２）、（４，３）、（４，４）、（２，５）の各座標に対応する色値として黄をそれぞれ抽出することができる。
【００２６】
色設定手段１０４は、設定色抽出手段１０３によって抽出された各色値を対象画像の対応する画素に設定する。
本実施形態においては、オブジェクト画素の配置に対応した色値として抽出された色値を、対象画像中の対応する画素に設定する。
【００２７】
画像形成手段１０５は、色値が設定された各画素にもとづいて所定の画像を形成する。
具体的には、一の色値が設定された各画素にもとづく一の画像を分割パターンに係る色値ごとにそれぞれ形成する。
例えば、これによって、図６（ａ）に示す対象画像は、図７に示す複数の画像に分割される。
つまり、オブジェクトが色ごとに区分された複数の分割画像として形成されることとなる。
【００２８】
出力制御手段１０６は、画像形成手段１０５によって形成されたそれぞれの画像を、複数の被出力媒体に各々出力する。
ここで、被出力媒体は、一定の透過性を有する複数の記録媒体を用い、例えば、透明シートや透過フィルム等（以下、透明シート等と呼称する。）を用いる。
例えば、図７に示す緑の色値が設定された画像データにもとづき感光体ドラム４上に画像を現像し、これを透明シート等に転写し、定着ローラ５により定着させる処理を行う。そして、この処理を、藍、赤、黄の各色値についてそれぞれ行う。
これにより、図８に示すように、４つの透明シート等上に、緑の画像、藍の画像、赤の画像、黄の画像が印刷される。
【００２９】
ところで、図８を見ただけでは、これらの画像からオブジェクトを視認することはできない。
図９は、これらの透明シート等を重ね合わせた様子を示した図である。
このように、色値ごとに印刷された各透明シート等を重ね合わせることによって、文字（「り」）を視認することができる。
【００３０】
次に、本実施形態に係る画像形成方法について、図１０を参照して説明する。
図１０は、本発明の第一実施形態に係る画像形成方法を示すフローチャートである。
本実施形態に係る画像形成方法においては、前処理として予め複数の分割パターンを作成し、パターン保存手段１０１がこれを不揮発性メモリやハードディスク等に保存しておく（Ｓ１０１）。本実施形態では、Ｐ０〜Ｐ３の各分割パターンを保存するものとする。
【００３１】
ここで、対象画像の画像データを入力する（Ｓ１０２）。具体的には、図５（ａ）に示す画像データが入力されたものとする。
なお、入力された画像データは、画像全体を格子状に分割することができ、分割された画像単位（画素）にもとづき以降の画像処理を行うことができる。
【００３２】
すなわち、画像データの入力に伴いその画像データの読み取りを行う。この読み取りは、例えば、（Ｘ，Ｙ）＝（０，０）の画素を読み取ることから始めることができる。そして、（Ｘ，Ｙ）＝（０，０）の読み取りが終わると、そこからＸ方向（主走査方向）に１画素分シフトした画素について読み取りを行う。そして、主走査方向の１ライン分の画素の読み取りが終わると、Ｙ方向（副走査方向）に１画素分シフトして、主走査方向の１ライン分の画素の読み取りを行う。このＸ方向及びＹ方向の読み取りを繰り返し行うことにより、全画素について読み取りを行う（後述するＳ１０８〜Ｓ１１１参照）。
【００３３】
次に、入力した画像の各画素の座標（Ｘ，Ｙ）を正規化する（Ｓ１０３）。
この正規化は、所定のマトリクスごとに区切って画像処理を行うための処理である。
本実施形態の場合、以下の演算式（１）によって、座標（Ｘ，Ｙ）を（Ｘ’，Ｙ’）に置き換える処理を行う。
Ｘ’＝ＭＯＤ（Ｘ，６）、Ｙ’＝ＭＯＤ（Ｙ，６）・・・・（１）
これにより、例えば、座標（Ｘ，Ｙ）＝（０，０）は（Ｘ’，Ｙ’）＝（０，０）、座標（Ｘ，Ｙ）＝（１０，２０）は、（Ｘ’，Ｙ’）＝（４，２）に置換される。
なお、上記式は、分割パターンの構成に伴って変更するようにする。例えば、分割パターンの構成を８×８マトリクスとした場合、上記式は、次式（２）のように変更すると良い。
Ｘ’＝ＭＯＤ（Ｘ，８）、Ｙ’＝ＭＯＤ（Ｙ，８）・・・・（２）
【００３４】
続いて、オブジェクト判別手段１０２が、対象画像の画素について、各画素が文字画素か否かを判別する（Ｓ１０４）。
ここで、任意の座標（Ｘ，Ｙ）を置換した（Ｘ’，Ｙ’）の画素が文字画素でないと判別された場合（Ｓ１０４：ＮＯ）、その座標（Ｘ，Ｙ）の画素は、非印字画素として記憶される（Ｓ１０５）。例えば、図５において、座標（０，０）は文字画素でないため非印字画素として記憶される。
【００３５】
（Ｘ’，Ｙ’）の画素が文字画素であると判別された場合（Ｓ１０４：ＹＥＳ）、分割パターン（Ｎ）を参照する（Ｓ１０６）。ここで、分割パターン（Ｎ）とは、Ｐ０を意味する。
具体的には、変更色抽出手段１０３が、対象画像と分割パターンとを対比して設定すべき色値を画素ごとに抽出する。
例えば、（Ｘ’，Ｙ’）＝（１，１）に配置される画素の場合、図４に示す分割パターンＰ０の座標（Ｘ’，Ｙ’）＝（１，１）には色値有りを示す所定のフラグ「１」が設定されていないため、色値の抽出は行われない。この場合、他のいずれかの分割パターンから色値が抽出されることとなる。
また、（Ｘ’，Ｙ’）＝（４，２）に配置される画素の場合、分割パターンＰ０の（Ｘ’，Ｙ’）＝（４，２）にはフラグ「１」が設定されているため、この色値（緑）を抽出する。すなわち、設定色抽出手段１０３は、（Ｘ’，Ｙ’）＝（４，２）について緑の色値を抽出する。
【００３６】
次いで、色設定手段１０４は、分割パターンにもとづき色設定を行う（Ｓ１０７）。具体的には、設定色抽出手段１０３が各分割パターンから抽出した色値を対象画像の対応する画素に割り当てる。
例えば、設定色抽出手段１０３が、（Ｘ’，Ｙ’）に対応する色値として、分割パターンＰ０から緑の色値を抽出した場合、（Ｘ’，Ｙ’）の置換前の（Ｘ，Ｙ）に配置される画素に緑の色値を設定する。
【００３７】
次に、（Ｘ，Ｙ）におけるＸの値が、最大値（Ｘ＝ＭＡＸ＿Ｘ）であるか否かを確認する（Ｓ１０８）。
ここで、Ｘの値が最大値でない場合（Ｓ１０８：ＮＯ）、Ｘ＝Ｘ＋１とする（Ｓ１０９）。すなわち、次の読み取り対象を、主走査方向に１画素分シフトし、以降、Ｓ１０３〜Ｓ１０７の処理を行う。一方、Ｘが最大値である場合（Ｓ１０８：ＹＥＳ）、（Ｘ，Ｙ）におけるＹの値が最大値（Ｙ＝ＭＡＸ＿Ｙ）か否かを確認する（Ｓ１１０）。
Ｙの値が最大値でない場合（Ｓ１１０：ＮＯ）、Ｘ＝０とするとともに、Ｙ＝Ｙ＋１とする（Ｓ１１１）。すなわち、読み取り対象を、副走査方向に１画素分シフトし、以降、その主走査方向の全画素についてＳ１０３〜Ｓ１０７の処理を行う。
【００３８】
他方、Ｘの値が最大値で、かつ、Ｙの値が最大値である場合（Ｓ１１０：ＹＥＳ）、画像形成手段１０５が、分割パターン（Ｎ）にもとづく画像を形成する（Ｓ１１２）。ここでの（Ｎ）は、分割パターンの数に対応するものであり、ここでは、分割パターンＰ０にもとづく緑の色値にもとづく一画像を形成する。
なお、最終的には、分割パターンＰ０〜Ｐ３のそれぞれにもとづいて複数の画像が形成される。
次に、その直前の画像処理に用いた分割パターンが最大値（Ｎ＝ＭＡＸ＿Ｎ）か否かを確認する（Ｓ１１３）。すなわち、本実施形態の場合、分割パターンがＰ３か否かを確認する。
【００３９】
分割パターンが、最後の分割パターンでない場合（Ｓ１１３：ＮＯ）、Ｎ＝Ｎ＋１として次の分割パターンに切り替えるとともに、Ｘ＝０，Ｙ＝０にする（Ｓ１１４）。
例えば、これまでＮ＝０に相当する分割パターンＰ０にもとづいてＳ１０３〜Ｓ１１２の処理を行っていた場合、次は、Ｎ＝１に対応する分割パターンＰ１にもとづいて同様の処理を行う。
【００４０】
他方、分割パターンが最大値である場合（Ｓ１１３：ＹＥＳ）、出力制御手段１０６が、形成された画像ごとに印刷処理を行う（Ｓ１１５）。
これにより、対象画像のすべての画素について、各分割パターンとの対比により各色値が設定されて形成された画像全体の出力処理が行われる。
なお、印刷処理は、透過性を有する透過シート等に対して各々行う。
具体的には、図８に示すように、文字「り」の分割画像が、緑、藍、赤、黄ごとに各透明シート等に印刷される。
【００４１】
以上、本発明の第一実施形態に係る画像形成装置１によれば、パターン保存手段１０１が所定の色値ごとに生成された分割パターンを保存し、オブジェクト判別手段１０２が、対象画像の各画素がオブジェクト画素か否かを判別し、設定色抽出手段１０３が対象画像と分割パターンとを対比してオブジェクト画素に対応する色値を抽出する。
また、色設定手段１０４が、設定色抽出手段１０３によって抽出された色値を対応する画素に設定し、画像形成手段１０５が色値が設定された画素にもとづいて画像を形成するようにしている。
具体的には、一の色値が設定された各画素にもとづく一の画像を各分割パターンに係る色値ごとにそれぞれ形成する。
そして、出力制御手段１０６が、形成された画像を所定の被出力媒体に出力するようにしている。
具体的には、色値ごとに形成されたそれぞれの画像を複数の被出力媒体（一定の透過性を有するもの）に各々出力するようにしている。
【００４２】
このため、本実施形態の画像形成装置１によれば、情報の機密性を保持しつつ、特定の者に対してのみ情報を開示し得る画像を形成することができる。
具体的には、この画像形成処理によって出力された印刷物のみならず、その印刷物を複写する場合であっても、機密性を保持することができる。
また、このような情報を重ね合わせることのみによって元の情報を再現し、容易に視認できるようになる。
さらに、本実施形態に係る画像形成装置１は、プログラムによって実現することができるため、ハードウェア構成を追加又は変更する必要が無く、簡易に本発明を実現することができる。
【００４３】
＜第二実施形態＞
次に、本発明の第二実施形態について説明する。
本実施形態の画像形成装置は、第一実施形態とほぼ同様の構成及び機能を有する。
例えば、本実施形態の画像形成装置は、特定の方法でなければ文字や図形などを視認できない画像を形成し出力する点においては、第一実施形態と同様である。
ただし、本実施形態においては、図１１に示すように、同図（ａ）に示す対象画像の文字画素の部分はＣｙａｎ系の複数の色で表し、背景画素の部分はＭａｇｅｎｔａ系の複数の色で表して、同図（ｂ）に示す１つの合成画像を形成する。
すなわち、オブジェクト（又は非オブジェクト）のみを対象として画像処理を行うのではなく、画像全体を対象とする点において第一実施形態とは異なる。
【００４４】
また、オブジェクトの色値と非オブジェクトの色値を、色の吸収性に関する規則性にもとづいて設定するようにしている。
これにより、同図（ｂ）に示すように、印刷結果にはモザイク処理が施され、一見しただけではオブジェクトを視認することは困難としている。
ところが、この印刷結果を所定のカラーフィルタ（例えば、赤の半透明シート等）を通して見ることによって印刷物に隠された文字等を容易に視認できるようになる。
したがって、このような画像形成方法によっても、情報の機密性を保持しつつ、特定の者に対してのみ情報を開示し得る画像を形成することができる。
その他の構成については第一実施形態と同様である。したがって、各構成部及び各手段については図１又は図３に用いた符号と同一の符号を用いて説明するとともに、同様の処理等については詳細な説明は省略する。
【００４５】
本実施形態において、図３に示すパターン保存手段１０１は、第一実施形態と同様、画素の配置と所定の色値とを各色値ごとに組み合わせた分割パターンを予めメモリやハードディスクなどの記憶媒体に保存する。
ただし、本実施形態においてパターン保存手段１０１が保存する分割パターンは、特定の色光に対し一定の非吸収性又は吸収性を有する色値（以下、第一の色値という。）を用いる。
ここで、「特定の色光に対し一定の非吸収性又は吸収性を有する色値」とは、特定のカラーフィルタを通して見た場合に画素が見えなくなる色や画素が浮かび上がる色のことをいう。
【００４６】
例えば、特定の色光を赤色光とした場合、赤紫、黄赤、赤、黄などのＭａｇｅｎｔａの色相に含まれる色値は、赤色光に対し一定の非吸収性を有する。
このような色値で形成された文字等を、赤の半透明シート等を通して見ると、文字等はあたかも消失したように見える（すなわち見づらい）。
これに対し、青や薄青などＣｙａｎの色相に含まれる色値は、赤色光に対し一定の吸収性を有する。
したがって、このような色値で形成された文字等を、赤の半透明シートを通して見ると、文字の部分だけが際立って見える。
【００４７】
具体的には、赤の半透明シートを用いる場合、図１２（ａ）に示すように、赤色光を吸収しない赤紫、黄赤、赤、黄をそれぞれ示すフラグ（ａ１、ｂ１、ｃ１、ｄ１）によって各分割パターンを生成する。
各フラグの配置は、第一実施形態と同様であり、例えば、（０，０）≦（Ｘ'，Ｙ'）≦（５，５）において分散させる。
【００４８】
例えば、各色ごとに「所定の色値有り」を示す所定のフラグを各分割パターンの所定の座標に設定することによって行う。例えば、赤紫の分割パターンでは「ａ１」、黄赤の分割パターンでは「ｂ１」、赤の分割パターンでは「ｃ１」、黄の分割パターンでは「ｄ１」、といったフラグを設定する。
これらのフラグは、このマトリクス内に含まれるすべての座標を網羅しつつ、かつ、分割パターン相互間で重複しないよう設定する。
なお、本実施形態においては、図１２（ｂ）に示すように、各分割パターンを合成した合成パターンを用いる。
【００４９】
設定色抽出手段１０３は、分割パターンと対象画像とを対比することによって、オブジェクト画素又は非オブジェクト画素の配置に対応した第一の色値を分割パターンから抽出する。
本実施形態では、非オブジェクト画素の配置に対応した第一の色値を合成パターンから抽出するものとする。
図１３は、非オブジェクト画素の配置に対応した第一の色値を合成パターンから抽出する処理を説明するための説明図である。
同図（ａ）及び（ｂ）に示すように、本実施形態に係る設定色抽出手段１０３は、「り」を含む対象画像と、合成パターンとを対比することによって、「り」の文字以外の部分を構成する各画素に対応する色値をこの合成パターンから抽出する（同図（ｂ）斜線部参照）。
【００５０】
例えば、対象画像と合成パターンとを重ね、フラグと「り」の背景画素とが重複する座標を抽出する。
これにより、赤紫については、（Ｘ'，Ｙ'）＝（０，０）、（２，１）、（１，３）、（５，５）、黄赤については、（Ｘ'，Ｙ'）＝（５，０）、（３，２）、（１，４）、（５，４）、赤については、（Ｘ'，Ｙ'）＝（０，１）、（３，１）、（５，２）、（０，３）、（２，４）、（０，５）、黄については、（Ｘ'，Ｙ'）＝（２，０）、（３，０）、（５，１）、（０，２）、（２，３）、（３，３）、（５，３）、（０，４）、（４，５）がそれぞれ抽出される。
【００５１】
したがって、同図（ｃ）に示すように、設定色抽出手段１０３は、（Ｘ'，Ｙ'）＝（０，０）、（２，１）、（１，３）、（５，５）の各座標に対応する色値として赤紫、（Ｘ'，Ｙ'）＝（５，０）、（３，２）、（１，４）、（５，４）の各座標に対応する色値として黄赤、（Ｘ'，Ｙ'）＝（０，１）、（３，１）、（５，２）、（０，３）、（２，４）、（０，５）の各座標に対応する色値として赤、（Ｘ'，Ｙ'）＝（２，０）、（３，０）、（５，１）、（０，２）、（２，３）、（３，３）、（５，３）、（０，４）、（４，５）の各座標に対応する色値として黄をそれぞれ抽出することができる。
【００５２】
色設定手段１０４は、設定色抽出手段１０３によって分割パターンから抽出した第一の色値を対象画像中の対応するオブジェクト画素もしくは非オブジェクト画素に設定するとともに、この第一の色値が割り当てられない画素に当該第一の色値の補色に相当する第二の色値を設定する。
本実施形態においては、合成パターンには赤色光に対し一定の非吸収性を有する赤紫、黄赤、赤、黄などの色値（第一の色値）が割り当てられているため、非オブジェクト画素に合成パターンから抽出されたこれらの色値を設定する。
一方、オブジェクト画素には、赤色光に対し一定の吸収性を有する色値、すなわち、赤の補色関係にあるＣｙａｎの色相に含まれる色を第二の色値として設定する。
【００５３】
画像形成手段１０５は、色値が設定された画素にもとづいて画像を形成する。
本実施形態の場合、図１４に示す画像が形成される。すなわち、文字部分（斜線部）はＣｙａｎ系の色値、背景部分はＭａｇｅｎｔａ系の各色値（ａ１：赤紫、ｂ１：黄赤、ｃ１：赤、ｄ１：黄）がそれぞれ設定された画像が形成される。
【００５４】
出力制御手段１０６は、画像形成手段１０５によって形成された画像を、一の被出力媒体に出力する。
ここで、被出力媒体は、通常のプリント用紙等でよく、第一実施形態と異なり透過性は必要としない。
これにより、図１５に示すように、画像全体にモザイク処理が施された画像が出力される。
したがって、これらを見ただけでは何が示されているかを認識することはできないが、この印刷物を赤の半透明シートを通して見ると、文字部分のみが浮かび上がる。
このため、第一実施形態と同様、特定の者（このカラーシートで見ることを知っている者）に対してのみ情報を知得することが可能となる。
【００５５】
つぎに、本実施形態に係る画像形成方法について、図１６を参照して説明する。
図１６は、本発明の第二実施形態に係る画像形成方法を示すフローチャートである。
本実施形態に係る画像形成方法においては、前処理として予め所定の分割パターンを作成し、パターン保存手段１０１がこれを不揮発性メモリやハードディスク等に保存しておく（Ｓ２０１）。
本実施形態の場合、図１２（ａ）に示すＰ０〜Ｐ３の各分割パターンを合成した、同図（ｂ）に示す合成パターンを作成・保存する。
つまり、各分割パターンの各画素の配置にはいずれも赤色光を吸収しないＭａｇｅｎｔａ系の色値（赤紫、黄赤、赤、黄）が割り当てられる。
【００５６】
ここで、対象画像の画像データを入力する（Ｓ２０２）。具体的には、図５に示す画像データが入力されたものとする。
入力された画像データは、画像全体を格子状に分割し、この分割された画像単位（画素）に基づき、以降の画像処理を行うことができる。
【００５７】
次に、入力した画像の各画素の座標（Ｘ，Ｙ）を正規化する（Ｓ２０３）。
具体的には、分割パターンの構成が６×６マトリクスである場合、Ｘ’＝ＭＯＤ（Ｘ，６）、Ｙ’＝ＭＯＤ（Ｙ，６）の演算処理を行い、座標（Ｘ，Ｙ）を（Ｘ’，Ｙ’）に置き換える。
【００５８】
続いて、オブジェクト判別手段１０２が、対象画像の画素について、各画素が文字画素か否かを判別する（Ｓ２０４）。
ここで、任意の座標（Ｘ，Ｙ）を置換した（Ｘ’，Ｙ’）の画素が文字画素であると判別された場合（Ｓ２０４：ＹＥＳ）、色設定手段１０４は、その座標（Ｘ，Ｙ）の画素を所定のフィルタ吸収色の色値に設定する。
具体的には、フィルタを赤の半透明シートとすると、文字部分の画素にＣｙａｎ系の色値（すなわち、赤色光を吸収する色）を設定する。
【００５９】
一方、任意の座標（Ｘ，Ｙ）を置換した（Ｘ’，Ｙ’）の画素が、文字画素でない場合（Ｓ２０４：ＮＯ）、分割パターンを参照する（Ｓ２０６）。
具体的には、設定色抽出手段１０３が、対象画像と合成パターンとの対比にもとづき、設定すべき色値を画素ごとに抽出する。
そして、色設定手段１０４は、抽出した各画素ごとの色値にもとづいて対象画像の色値を設定する（Ｓ２０７）。
【００６０】
例えば、任意の座標（Ｘ，Ｙ）を置換した（Ｘ’，Ｙ’）の画素が文字画素でない場合、合成パターンからこれら座標に対応する色値を抽出する。
具体的には、（Ｘ’，Ｙ’）＝（０，０）や（２，０）に配置される画素が文字画素でない場合、図１３（ｂ）に示す合成パターンの座標（Ｘ’，Ｙ’）＝（０，０）、（２，０）には色値有りを示す所定のフラグ「ａ１」、「ｄ１」がそれぞれ割り当てられているため、該当する色値（「ａ１」：赤紫、「ｄ１」：黄）が抽出される。
【００６１】
次に、（Ｘ，Ｙ）におけるＸの値が、最大値（Ｘ＝ＭＡＸ＿Ｘ）であるか否かを確認する（Ｓ２０８）。
ここで、Ｘの値が最大値でない場合（Ｓ２０８：ＮＯ）、Ｘ＝Ｘ＋１とする（Ｓ２０９）。すなわち、次の読み取り対象を、主走査方向に１画素分シフトし、以降、Ｓ２０３〜Ｓ２０７の処理を行う。一方、Ｘが最大値である場合（Ｓ２０８：ＹＥＳ）、（Ｘ，Ｙ）におけるＹの値が最大値（Ｙ＝ＭＡＸ＿Ｙ）か否かを確認する（Ｓ２１０）。
Ｙの値が最大値でない場合（Ｓ２１０：ＮＯ）、Ｘ＝０とするとともに、Ｙ＝Ｙ＋１とする（Ｓ２１１）。すなわち、読み取り対象を、副走査方向に１画素分シフトし、以降、その主走査方向の全画素についてＳ２０３〜Ｓ２０７の処理を行う。
【００６２】
他方、Ｘの値が最大値で、かつ、Ｙの値が最大値である場合（Ｓ２１０：ＹＥＳ）、画像形成手段１０５が、合成パターンにもとづく一の画像を形成する（Ｓ２１２）。この処理により、図１４に示す画像が形成される。
そして、出力制御手段１０６が、形成された画像ごとに印刷処理を行う（Ｓ２１３）。この処理により、図１５に示す印刷物を得ることができる。
【００６３】
以上のように構成された本実施形態によれば、第一実施形態と同様、情報の機密性を保持しつつ、特定の者に対してのみ情報を開示し得る画像を形成することができる。
具体的には、文字画素の部分は特定の色光を吸収する（又は吸収しない）色で表し、背景画素の部分はその色と補色の関係にある色で表して、１つの合成画像を形成するようにしている。
このため、印刷結果にはモザイク処理が施され、一見しただけではそのオブジェクトを視認することは困難となっている。
ところが、この印刷結果を所定のカラーフィルタを通して見ることによって印刷物に隠された文字等を容易に視認できるようになる。
したがって、第一実施形態と同様の構成であるにもかかわらず、異なる画像形成処理が可能であり、かつ、係る画像形成処理によっても第一実施形態と同様の作用効果を奏することができる。
【００６４】
以上、本発明について、実施形態を示して説明したが、本発明は、上述した実施形態にのみ限定されるものではなく、特許請求の範囲内で種々の変更が可能であることは言うまでもない。
例えば、第二実施形態においては、文字部分を赤色光を吸収する色値で構成し、背景部分を赤色光を吸収しない色値（つまり赤の補色）によって画像を形成したが、これを逆に表すことによっても同様の作用効果を奏することができる。
【産業上の利用可能性】
【００６５】
本発明は、カラー画像を形成しうるプリンタ、複写機、ＭＦＰ等の画像形成装置に適用される。
【符号の説明】
【００６６】
１  画像形成装置
１０  制御部
１０１  パターン保存手段
１０２  オブジェクト判別手段
１０３  設定色抽出手段
１０４  色設定手段
１０５  画像形成手段
１０６  出力制御手段
【図１】
2011139207.tif 000003
【図２】
2011139207.tif 000004
【図３】
2011139207.tif 000005
【図４】
2011139207.tif 000006
【図５】
2011139207.tif 000007
【図６】
2011139207.tif 000008
【図７】
2011139207.tif 000009
【図８】
2011139207.tif 000010
【図９】
2011139207.tif 000011
【図１０】
2011139207.tif 000012
【図１１】
2011139207.tif 000013
【図１２】
2011139207.tif 000014
【図１３】
2011139207.tif 000015
【図１４】
2011139207.tif 000016
【図１５】
2011139207.tif 000017
【図１６】
2011139207.tif 000018